(57)【要約】      （修正有）【課題】比較的多数のゴルフクラブを同時に立て掛けることができ、しかも、ゴルフクラブのグリップなどに傷が付き難く、必要なゴルフクラブを取り出し易いゴルフクラブ用スタンドを提供する。【解決手段】ゴルフクラブを立て掛けるゴルフクラブ用スタンドであって、下端側が地中に配置された状態で立設される支柱部２と、支柱部２の上端付近に配置されたクラブ受け部４とを有し、クラブ受け部４の外周に沿って、ゴルフクラブのグリップ部近傍を係止するための複数の縦溝６が互いに離間して形成される。【選択図】図１
0003210813.tif 000002
【実用新案登録請求の範囲】
【請求項１】
ゴルフクラブを立て掛けるゴルフクラブ用スタンドであって、
下端側が地中に配置された状態で立設される支柱部と、
前記支柱部の上端付近に配置されたクラブ受け部とを有し、
前記クラブ受け部の外周に沿って、複数の縦溝が互いに離間して形成され、一つの前記縦溝に、一本の前記ゴルフクラブのグリップ部近傍が係止されて、複数の前記ゴルフクラブを立て掛け可能とすることを特徴とするゴルフクラブ用スタンド。
【請求項２】
前記クラブ受け部の外周の径が、少なくとも地上面付近における前記支柱部の外径よりも大きいことを特徴とする請求項１に記載のゴルフクラブ用スタンド。
【請求項３】
前記支柱部と前記クラブ受け部とが、同一素材からなる一体物であることを特徴とする請求項１または２に記載のゴルフクラブ用スタンド。
【請求項４】
前記クラブ受け部の下面に嵌挿用孔が形成されており、前記クラブ受け部は前記嵌挿用孔に前記支柱部の上端を嵌挿させることで、前記支柱部に支持されていることを特徴とする請求項１または２に記載のゴルフクラブ用スタンド。
【請求項５】
前記支柱部が金属製の筒状体で構成されていることを特徴とする請求項４に記載のゴルフクラブ用スタンド。
【請求項６】
地面に埋設されるブロック体を有し、前記支柱部の下端側が前記ブロック体の上面に設けられた凹部に嵌挿されて立設することを特徴とする請求項１から５のいずれかに記載のゴルフクラブ用スタンド。
【考案の詳細な説明】
【技術分野】
【０００１】
本考案は、ゴルフ場やゴルフ練習場等に設置され、ゴルフプレイヤー等がゴルフクラブを立て掛けることのできるゴルフクラブ用スタンドに関する。
【背景技術】
【０００２】
この種のゴルフクラブ用スタンドに関連する先行技術文献情報として下記に示す特許文献１がある。この特許文献１に記されたゴルフクラブ用スタンドは、下端を地面に突き刺すことのできる円筒状棒を備えており、その円筒状棒の上端付近に設けられた一つのＵ字形の受入部が複数のゴルフクラブのグリップ部を受け入れる構成になっている。
【先行技術文献】
【特許文献】
【０００３】
【特許文献１】特開平５−１０３８５０号公報（００１３段落、図２）
【考案の概要】
【考案が解決しようとする課題】
【０００４】
一般に、ティーグラウンドには３〜４人がそれぞれ２本程度のクラブを持って立つことが多い。しかし、特許文献１に記されたゴルフクラブ用スタンドでは、３、４本以上などの多数のゴルフクラブを同時に立て掛けることは難しいという問題があった。また、特許文献１に複数のゴルフクラブを敢えて一度に立て掛けた場合、例えば受入部内でシャフトやグリップ部どうしが絡み合った状態となりやすい。そのため、シャフトやグリップどうしがこすれてゴルフクラブに傷が入り易くなる虞や、複数のゴルフクラブの中から、必要なゴルフクラブを取り出し難くなるという問題があった。
【０００５】
そこで、本考案は、上記従来の問題に鑑みてなされたものであり、その目的は、比較的多数のゴルフクラブを同時に立て掛けることができ、しかも、複数のゴルフクラブを同時に立て掛けても、ゴルフクラブに傷が入り難く、また多数の中から必要なゴルフクラブを選んで取り出し易いゴルフクラブ用スタンドを提供することにある。
【課題を解決するための手段】
【０００６】
請求項１の考案は、ゴルフクラブを立て掛けるゴルフクラブ用スタンドであって、下端側が地中に配置された状態で立設される支柱部と、前記支柱部の上端付近に配置されたクラブ受け部とを有し、前記クラブ受け部の外周に沿って、複数の縦溝が互いに離間して形成され、一つの前記縦溝に、一本の前記ゴルフクラブのグリップ部近傍が係止されて、複数の前記ゴルフクラブを立て掛け可能とする、ゴルフクラブ用スタンドである。
【０００７】
請求項２の考案は、請求項１に記載のゴルフクラブ用スタンドにおいて、前記クラブ受け部の外周の径が、少なくとも地上面付近における前記支柱部の外径よりも大きいことを特徴とする請求項１に記載のゴルフクラブ用スタンド。
【０００８】
請求項３の考案は、請求項１または２に記載のゴルフクラブ用スタンドにおいて、前記支柱部と前記クラブ受け部とが、同一素材からなる一体物であることを特徴とする。
【０００９】
請求項４の考案は、請求項１または２に記載のゴルフクラブ用スタンドにおいて、前記クラブ受け部の下面に嵌挿用孔が形成されており、前記クラブ受け部は前記嵌挿用孔に前記支柱部の上端を嵌挿させることで、前記支柱部に支持されていることを特徴とする。
【００１０】
請求項５の考案は、請求項４に記載のゴルフクラブ用スタンドにおいて、前記支柱部が金属製の筒状体で構成されていることを特徴とする。
【００１１】
請求項６の考案は、請求項１から５のいずれかに記載のゴルフクラブ用スタンドにおいて、地面に埋設されるブロック体を有し、前記支柱部の下端側が前記ブロック体の上面に設けられた凹部に嵌挿されて立設することを特徴とする。
【考案の効果】
【００１２】
本考案によれば、ゴルフクラブを立て掛けるゴルフクラブ用スタンドであって、下端側が地中に配置された状態で立設される支柱部と、前記支柱部の上端付近に配置されたクラブ受け部とを有し、前記クラブ受け部の外周に沿って、複数の縦溝が互いに離間して形成され、一つの前記縦溝に、一本の前記ゴルフクラブのグリップ部近傍が係止されて、複数の前記ゴルフクラブを立て掛け可能とする構成であるから、少なくとも複数の縦溝の数と同数のゴルフクラブを一度に立て掛けることができるとともに、縦溝は互いに離間して配置されているので、複数のゴルフクラブを互いに接触しないように立て掛けることができる。その結果、ゴルフクラブどうしの接触によってシャフトなどに傷が付く心配がなく、また、複数のゴルフクラブの中から必要なゴルフクラブを選択し、取り出す操作も容易になる。
【００１３】
また、特に、前記クラブ受け部の外周の径が、少なくとも地上面付近における前記支柱部の外径よりも大きい構成とすれば、例えば、クラブ受け部の外周の径や縦溝の数を、所定の本数のゴルフクラブ立て掛け可能に調整しておけば、クラブ受部に立て掛けることのできるゴルフクラブの本数を維持しつつ支柱部の外径を細くした形状とすることができる等の、軽量化を図ることができるとともに、意匠性を向上させることが可能なゴルフクラブ用スタンドを提供できる。
【００１４】
また、特に、前記支柱部と前記クラブ受け部とが、同一素材からなる一体物である構成とすれば、例えば石材等を加工して滑らかに連続した外観が得られるなど、意匠性を向上させ得るとともに、記念碑としても好適なゴルフクラブ用スタンドを提供できる。
【００１５】
また、特に、前記クラブ受け部の下面に嵌挿用孔が形成されており、前記クラブ受け部は前記嵌挿用孔に前記支柱部の上端を嵌挿させることで、前記支柱部に支持されている構成とすれば、クラブ受け部はグリップを傷付け難い素材で形成し、支柱部は金属などの頑丈な素材で形成するなど、互いに性質の異なる異種素材を組み合わせることが可能になるため、ゴルフクラブ用スタンドの設計に自由度が得られる。さらに、必要に応じて、ゴルフクラブ用スタンドをクラブ受け部と支柱部とに分解可能なため、多数のゴルフクラブ用スタンドを出荷する際に実質的な輸送費を抑制できる、ゴルフの競技場内で移動させる作業が簡単になる等の利点が得られる。
【００１６】
また、特に、前記支柱部が金属製の筒状体で構成されていれば、支柱部が石材或いはコンクリートなどで構成されている場合に比べて、支柱部を軽量化でき、ゴルフクラブ用スタンド全体の重量も軽量化されるので、ゴルフクラブ用スタンドの搬送、設置、除去、移動などの操作が簡単にできる。
【００１７】
また、特に、地面に埋設されるブロック体を有し、前記支柱部の下端側が前記ブロック体の上面に設けられた凹部に嵌挿されて立設する構成とすれば、支柱部の下端部を地面に直接突き刺すことで立設させる構成などに比べて、例えば地震等の際の支柱部の揺れをブロック体で規制できるので、地震や強風などの影響でゴルフクラブ用スタンドが傾いたりする可能性がより少なくなり、安定性・安全性に優れたゴルフクラブ用スタンドを提供できる。
【図面の簡単な説明】
【００１８】
【図１】本考案の第１実施形態に係るゴルフクラブ用スタンドを示す斜視説明図である。
【図２】本考案の第１実施形態に係るゴルフクラブ用スタンドを示す縦断面説明図である。
【図３】本考案の第２実施形態に係るゴルフクラブ用スタンドを示す斜視説明図である。
【図４】本考案の第２実施形態に係るゴルフクラブ用スタンドを示す縦断面説明図である。
【図５】本考案の第３実施形態に係るゴルフクラブ用スタンドを示す斜視説明図である。
【図６】本考案の第４実施形態に係るゴルフクラブ用スタンドを示す斜視説明図である。
【考案を実施するための形態】
【００１９】
以下、本考案の好適な実施形態について説明する。
〔第１実施形態〕
本考案の第１実施形態について図１及び図２を用いて説明する。
図１及び図２に示すように、本実施形態に係るゴルフクラブ用スタンド５０は、支柱部２と、支柱部２の上端に配置されたクラブ受け部４と、支柱部２を支持するブロック体８を備える。
【００２０】
本実施形態の、支柱部２は、図１及び図２に示す様に、例えばその下側部分としての一定の外径を有する円柱状部分２ａと、円柱状部分２ａの上端から上方に向かって次第に拡径する態様で延設される略逆円錐台状部分２ｂとからなる。
次に、クラブ受け部４は、図２に示す様に、支柱部２の上端から、前記略逆円錐台状の傾斜を維持しつつ上方に延設される略逆円錐台部分４ｃと、逆円錐台部分４ｃの上端から、逆円錐台部分４ｃの上端の外径と同じ外径を維持しつつ上方に延設される円板状部分４ｂとからなる。
【００２１】
本実施形態の支柱部２とクラブ受け部４とは一つの石材から切削した一体物で形成され、図１及び図２に示す様に、ティーグラウンドで用いられるティーの形状を模したデザインになっている。言い換えると、支柱部２は、前記ティーの形状の下端から略４分の３の高さまでの部分からなり、一方、クラブ受け部４は、前記ティーの形状の下端から略４分の３の高さから上端までの部分からなる。
【００２２】
次に、図１及び図２に示す様に、クラブ受け部４の上端面は概して水平な平面で構成されており、その上端面を含む最大径部１４ａの外周に、４つの縦溝６が等間隔で形成されている。図１に示すように、ゴルフクラブ１のグリップ部１ａを傷付け難いように、縦溝６の平面視における形状は滑らかな半円形となっている。
４つの縦溝６の形状と寸法は互いに共通で、ゴルフクラブ１のグリップ部１ａを受け入れるのに十分な幅と、受け入れたグリップ部１ａが縦溝６から簡単に抜け出ない程度の深さを有する。
【００２３】
支柱部２とクラブ受け部４の製作方法としては、一つの石材を削ることで図１のような形状を実現することができるが、他にも、コンクリートの流し込み、合成樹脂や金属の射出成型など種々の製作方法を適用できる。また、軽量化などの目的で内部に空洞を設けてもよい。
この様に、本実施形態によれば、支柱部２とクラブ受け部４とが同一素材からなる一体物で形成されるため、両者の境界などで切れることなく、滑らかに連続した外観上の特徴が得られ、全体として美観を備えたゴルフクラブ用スタンド５０が得られ易い。
【００２４】
さらに、ゴルフクラブ用スタンド５０は、図１及び図２に示す様に、地面に埋設される例えばコンクリート製のブロック体８を有し、支柱部２の下端側がブロック体８の上面に設けられた凹部８ａに嵌挿されることで、支柱部２が鉛直な立設姿勢を保っている。
【００２５】
ブロック体８の形状は特に限定されないが、一例としては、図１に示すように、全体として概して立方体または直方体の上面の四辺を斜めに切り落とした形状などが適している。前述した支柱部２の下端部を嵌挿させるための凹部８ａは、支柱部２の下端部の外径に対応した内径を持つように形成されている。
なお、支柱部２をブロック体８から抜き取ることを可能とする等の必要に応じて、凹部８ａの内径を少し大きめに設定してもよい。
【００２６】
本実施形態によれば、支柱部２の下端部を地面に直接突き刺すことで立設させる構成に比べて、例えば地震等の際の支柱部の揺れをブロック体で規制できるので、地震や強風などの影響でゴルフクラブ用スタンドが傾いたりする可能性がより少なくなり、安定性・安全性に優れたゴルフクラブ用スタンドを提供できる。
【００２７】
図１では、便宜的に、２本のゴルフクラブ１を立て掛けた状態が示されているが、クラブ受け部４の外周に全部で４つの縦溝６が互いに離間して配置されているので、４つの縦溝６の一つ一つにゴルフクラブ１のグリップ部１ａを係止させることで、４本のゴルフクラブ１を安定した状態で、しかも、ゴルフクラブ１どうしが互いに接触しないように立て掛けることができる。その結果、グリップ部１ａなどに傷が付く心配がなく、また、ゴルフクラブ用スタンド５０に立て掛けられた複数のゴルフクラブ１の中から必要なゴルフクラブ１を選択し、取り出す操作も容易になる。
【００２８】
また、図１及び図２に示す様に、地上面Ｇ付近における支柱部２の外径は、クラブ受け部４の外径よりも十分に小さく作られている。そのため、クラブ受け部４の外径４ａ並びに縦溝６の数を、所定の本数のゴルフクラブ立て掛け可能に調整しておけば、クラブ受け部４に立て掛けることのできるゴルフクラブの本数を維持しつつ、ゴルフクラブ用スタンド５０の軽量化を図ることができるとともに、例えばティーの形状を模したデザイン等の様に、ゴルフクラブ用スタンド５０の意匠性を向上させることができる。
【００２９】
〔第２実施形態〕
本考案の第２実施形態について図３〜図４を用いて説明する。
第２実施形態に係るゴルフクラブ用スタンド６０は、基本的に第１実施形態に係るゴルフクラブ用スタンド５０と同様の機能を有するものであり、ここでは、第２実施形態に係るゴルフクラブ用スタンド６０が第１実施形態に係るゴルフクラブ用スタンド５０と異なる点を中心に解説する。
【００３０】
本実施形態に係るゴルフクラブ用スタンド６０が、第１実施形態と比べて最も異なる点は、支柱部１２とクラブ受け部１４とが別体になっている点である。
すなわち、本実施形態では、図３に示すように、クラブ受け部１４は概して逆円錐台状を呈しており、図４に示すように、その下面に、円柱状の支柱部１２の上端を受け入れ可能な嵌挿用孔１４ｂが形成されている。クラブ受け部１４は、その嵌挿用孔１４ｂに支柱部１２の上端を嵌挿させることで、支柱部１２の上端付近に支持されている。
【００３１】
前述したように、支柱部１２とクラブ受け部１４とが別体になっているので、クラブ受け部１４はグリップ部１ａを傷付け難い合成樹脂などの素材で形成し、支柱部は金属などの頑丈な素材で形成するなど、互いに性質の異なる異種素材を組み合わせることが可能になるため、ゴルフクラブ用スタンドの設計に自由度が得られる。さらに、ゴルフクラブ用スタンド６０をクラブ受け部１４と支柱部１２とに分解可能なため、多数のゴルフクラブ用スタンド６０を出荷する際に実質的な輸送費を抑制できる。或いは、ゴルフ場やゴルフ練習場等でゴルフクラブ用スタンド６０を移動させる作業が簡単になるなどの利点が得られる。
【００３２】
ゴルフクラブ用スタンド６０の支柱部１２は金属製の筒状体で構成されている。したがって、支柱部１２が石材或いはコンクリートなどで構成されている場合に比べて、支柱部１２を軽量化でき、ゴルフクラブ用スタンド６０全体の重量も軽量化されるので、ゴルフクラブ用スタンド６０の搬送、設置、除去、移動などの操作が簡単にできる。
【００３３】
また、支柱部１２を金属製の筒状体で構成しておけば、石材或いはコンクリートなどで構成された支柱部と比べて、外径の小さな筒状体でも十分な剛性を確保できる。
【００３４】
支柱部１２を構成する金属製の筒状体の素材としては、鉄、銅、アルミニウム合金など様々な種類の金属から選択可能であるが、耐久性と強度などを考慮するとステンレス鋼などが特に適していると考えられる。
【００３５】
クラブ受け部１４は、一つの石材を削ることで図３のような形状を実現することができるが、コンクリートの流し込み、合成樹脂や金属の射出成型など種々の製作方法を適用できる。また、軽量化などの目的で内部に空洞を設けてもよい。
クラブ受け部１４は、前述したように概して逆円錐台状を呈しており、その上端部を垂直に面取りすることで設けられた最大径部１４ａの外周に、全部で４つの縦溝１６が等間隔で形成されている。個々の縦溝１６の形状と寸法は第１実施形態と基本的に同様である。
【００３６】
ゴルフクラブ用スタンド６０もまた、地面に埋設されたブロック体１８を有し、支柱部１２の下端部がブロック体１８の上面に設けられた凹部１８ａに嵌挿されることで、支柱部２が鉛直な立設姿勢を保っている。ブロック体１８の形状も図１のものと基本的に同様であるが、凹部１８ａの内径は、支柱部１２の外径に合わせて、図１のものより小さく設定されている。もちろん、支柱部１２が必要に応じてブロック体１８から抜き取り可能となるように、凹部１８ａの内径を少し大きめに設定してもよい。
【００３７】
〔第３実施形態〕
本考案の第３実施形態について図５を用いて説明する。
本実施形態に係るゴルフクラブ用スタンド７０は、基本的に第２実施形態に係るゴルフクラブ用スタンド６０と同様の機能を有するものである。
第３実施形態に係るゴルフクラブ用スタンド７０は、支柱部２２とクラブ受け部２４とが別体になっている点で、第２実施形態に係るゴルフクラブ用スタンド６０と共通の特徴を持っている。
【００３８】
本実施形態に係るゴルフクラブ用スタンド７０の特徴は、第２実施形態に係るゴルフクラブ用スタンド６０と比べて、クラブ受け部２４の形状が異なる点と、クラブ受け部１４を支持する支柱部２２が、真直ぐな４本の支柱２２ａで構成されている点である。
なお、図には示されていないが、各支柱２２ａの上端は、クラブ受け部２４の下面に等間隔で形成されている４つの嵌挿用孔に嵌挿されることで、４本の支柱２２ａがクラブ受け部１４を安定的に支持している。
【００３９】
すなわち、図５に示すように、本実施形態に係るゴルフクラブ用スタンド７０のクラブ受け部２４は概して円板状を呈しており、第２実施形態に係るゴルフクラブ用スタンド６０と比べて、厚さは小さいが直径が大きい。その結果、クラブ受け部２４の外周面２４ａには、第１実施形態や第２実施形態の２倍の８つの縦溝２６を互いに離間した状態で設けることが可能になっている。したがって、最大８本のゴルフクラブ１を立て掛けることができる。
また、クラブ受け部２４の上端面の面積が大きいので、図５に示すように、そこに種々の文字や絵柄からなるメッセージや広告などを刻印または印字するといった目的に利用し易い。
【００４０】
ゴルフクラブ用スタンド７０の場合は、地面に埋設されたブロック体２８は、平面視で凡そ正方形の直方体状を呈している。ブロック体２８の上面には、４本の支柱２２ａの下端部を受け入れるための４つの凹部２８ａが形成されている。凹部２８ａはブロック体２８の上面の四隅付近に設けられている。
【００４１】
〔第４実施形態〕
本考案の第４実施形態について図６を用いて説明する。
本実施形態に係るゴルフクラブ用スタンド８０は、支柱部３２とクラブ受け部３４とが、石材などの同一素材からなる一体物となっている点で、第１実施形態と共通の特徴を持っている。すなわち、支柱部３２とクラブ受け部３４とが、滑らかに連続した外観上の特徴が得られ、全体として美観を備えたゴルフクラブ用スタンド８０が得られ易い。
【００４２】
本実施形態に係るゴルフクラブ用スタンド８０が第１実施形態と異なる点は、支柱部３２が、その下端から上端まで外径がほぼ一定の真直ぐな円柱状を呈している点である。
その円柱状の支柱部３２の上端付近の外周面に、合計で８つの縦溝３６が等間隔に形成されることで、前記上端近傍がクラブ受け部３４として機能する。
【００４３】
個々の縦溝３６の形状や寸法は、他の実施形態のものと凡そ同等であるが、支柱部３２が上端付近も含めて全体的に円柱状であるため、縦溝３６の下部は下に向かって次第に幅が狭くなることで、概して半円形の下端部とされている。
図６に示すように、ゴルフクラブ用スタンド８０のブロック体３８は、他の実施形態のものと異なり、支柱部３２の外径より大きい外径を有する円注状を呈しているが、この形状に限らず、様々な形状を適用できることは勿論である。
【００４４】
本実施形態に係るゴルフクラブ用スタンド８０では、支柱部３２の表面がシンプルな形状をしており、且つ、表面積が大きいので、図６に示すように、そこに種々の文字や絵柄からなるメッセージや広告などを刻印または印字するといった目的に利用し易い。
【００４５】
以上に示す本考案の４つの実施形態では、クラブ受け部４，１４，２４，３４の上端面がいずれも平面状に構成されているが、必ずしも、クラブ受け部の上端面を平面状に構成する必要はない。例えば、上端面が上向きに突出したドーム状を呈した形態で実施することも可能であり、この場合、クラブ受け部の上端面に雨水や塵埃などが溜まり難いなどの利点が得られる。
【００４６】
このように、クラブ受け部の上端面が、上向きに突出したドーム状を呈した形態で実施する場合は、ゴルフクラブ１のグリップ部１ａを受け入れる縦溝は、クラブ受け部の最上端面ではなく、クラブ受け部の上端付近にある最大径部のうちの上端に設ければ好都合である。
【００４７】
以上に示す本考案の４つの実施形態では、支柱部２，１２，２２，２３がいずれも直線状を呈しているが、必ずしも、支柱部を直線状に構成する必要はない。例えば、途中が「く」の字に曲げられた形状の支柱部や、下から上に向かって螺旋状に延びる支柱部など、様々な形状的な変形を加えることが可能である。
【００４８】
また、以上に示す本考案の４つの実施形態では、支柱部２，１２，２２，２３の下端がブロック体８，１８，２８，３８の凹部８ａ，１８ａ，２８ａ，３８ａに嵌挿されることで、支柱部２，１２，２２，２３が鉛直な立設姿勢を保っているが、特にクラブ受け部が十分に軽量な場合には、ブロック体を設けずに、支柱部の尖らせた下端部を地面に深く突き刺すことで、支柱部に鉛直な立設姿勢を保たせる形態で実施できる場合もある。
【００４９】
これまで説明して来た様に、本考案の実施形態によれば、ティーグラウンド、パター練習場並びにアプローチ練習場等に設置するのに好適で、比較的多数のゴルフクラブを同時に立て掛けることができ、しかも、複数のゴルフクラブを同時に立て掛けても、ゴルフクラブに傷が入り難く、また多数の中から必要なゴルフクラブを選んで取り出し易いゴルフクラブ用スタンドを提供できる。
【００５０】
以上、本考案の実施形態のうち幾つかを図面に基づいて詳細に説明したが、これらはあくまでも例示であり、当業者の知識に基づいて種々の変形、改良を施した他の形態で本考案を実施することが可能である。
【産業上の利用可能性】
【００５１】
本考案は、ゴルフクラブを立て掛けるゴルフクラブ用スタンドに従来見られた課題を解決するための技術として利用可能な考案である。
【符号の説明】
【００５２】
１  ゴルフクラブ
２，１２，２２，２３  支柱部
４，１４，２４，３４  クラブ受け部
１４ｂ  嵌挿用孔
６，１６，２６，３６  縦溝
８ａ，１８ａ，２８ａ，３８ａ  凹部
５０，６０，７０，８０  ゴルフクラブ用スタンド
８  ，１８，２８，３８  ブロック体
【図１】
0003210813.tif 000003
【図２】
0003210813.tif 000004
【図３】
0003210813.tif 000005
【図４】
0003210813.tif 000006
【図５】
0003210813.tif 000007
【図６】
0003210813.tif 000008